(57)【要約】【課題】ＳＩＭ等の個人管理情報を用いて、電子メールをより確実かつタイミング良く受信することができる携帯通信端末を提供する。【解決手段】携帯電話機３０が携帯電話機１０宛てに電子メールを送信する場合、その電子メールはサーバ装置２０に送信され（ａ）、サーバ装置２０が相手先を特定した後（ｂ）、携帯電話機１０にメール有り通知を行う（ｃ）。メール有り通知を受信した携帯電話機１０は、ＳＩＭカードのユーザ識別情報とメール有り通知に含まれるメールＩＤを関連付けて記憶する（ｆ）。そして、携帯電話機１０は、メールＩＤに基づいて送信要求（ｅ）をサーバ装置２０に対して行い、送信要求に応じてサーバ装置２０から送信されるヘッダデータ（ｈ）を完全に受信すると、ユーザ識別情報に対応して記憶していたメールＩＤを削除する。【選択図】図５
2005130222.tif 000002
【特許請求の範囲】
【請求項１】
固有のユーザ識別情報を記憶する着脱可能な一の記憶媒体が装着され、前記記憶媒体が記憶するユーザ識別情報に基づいて特定されるユーザに対する通信データを受信する携帯通信端末であって、
無線により通信網に接続し、前記ユーザに対する通信データの存在を認識して、前記通信データの送信要求を行い、当該送信要求に応じた前記通信データを受信する無線通信手段と、
送信要求に対する通信データの前記無線通信手段による受信が完了しないことを示す未受信データを、ユーザ識別情報と対応付けて記憶する記憶手段と、
前記記憶手段を参照し、装着された記憶媒体が記憶するユーザ識別情報に対応する未受信データが存在する場合に、前記送信要求を行うように前記無線通信手段を制御する制御手段と
を有し、
前記制御手段は、前記送信要求に応じた通信データの受信を完了させると、受信が完了した通信データに対応する未受信データを記憶手段から削除する
ことを特徴とする携帯通信端末。
【請求項２】
前記制御手段は、
前記無線通信手段による無線通信が不可能な状態から可能な状態に移行すると、前記記憶手段を参照する
ことを特徴とする請求項１記載の携帯通信端末。
【請求項３】
前記制御手段は、
前記無線通信手段により、前記ユーザに対する通信データが存在する旨の通知を得ると、前記記憶手段を参照する
ことを特徴とする請求項１または２に記載の携帯通信端末。
【発明の詳細な説明】
【技術分野】
【０００１】
本発明は、使用中のユーザを識別するための識別情報の入力手段を備えた携帯通信端末に係り、例えば、上記識別情報を格納する着脱可能な記憶媒体のインターフェースを備えた携帯電話機等の携帯通信端末に関するものである。
【背景技術】
【０００２】
ＧＳＭ（global system for mobile communications）方式の携帯電話機には、ＳＩＭ（subscriber identity module）と称される着脱可能なＩＣカードから加入者の識別番号や電話番号などを取得するものがある。このような携帯電話機を利用する場合、ＳＩＭカードから読み取られるこれらの情報によって、携帯電話機のユーザが通信事業者に登録された正規の加入者であることが認証される。ＳＩＭをベースとしたＵＩＭ（user identity module）についても、上述したＳＩＭと同様の機能を備えている。
また、異なるＳＩＭカードを挿入することによって携帯電話機の電話番号を変更することが可能になることから、１つの携帯電話機を複数のユーザで共用したり、１つの電話番号で複数の携帯電話機を使い分けることが可能になる。ＳＩＭカードには、こうしたユーザを識別するための情報に加えて、電話帳や課金情報など、ユーザの個人的な情報を格納することも可能である。
【０００３】
上述したＳＩＭカード等の着脱可能な記憶媒体に、各ユーザの電話帳を記憶させることによって、ＳＩＭカードによる個人情報の管理を行う技術が提案されている（下記特許文献１）。
特許文献１で提案されている電話機は、装着される記録媒体に対応する記憶領域を電話機内の記憶部に設け、その各々の記憶領域に、対応する記憶媒体が装着された際に用いられる電話帳のデータを格納するものである。
【特許文献１】特開２００１−１５６９０４号公報
【発明の開示】
【発明が解決しようとする課題】
【０００４】
しかしながら、上記特許文献１に記載されている技術は、ＳＩＭカードによる個人情報の管理が、各ユーザ毎の個人情報の拡張に止まっており、従来、ＳＩＭカードを、電子メールのような無線通信データの受信等の管理に用いるような概念は、提起されていなかった。
特に、上述したとおり、ＧＳＭ方式の携帯電話機においては、各ユーザに割り当てられたＳＩＭカードを随時差し替えることにより、１つの携帯電話機を複数のユーザが共用することが可能であることから、複数のユーザに対してなされる受信処理に対して適切な管理を行うことが望まれる。
【０００５】
たとえば、携帯電話機の特定のユーザが自分宛の電子メール等の受信を完全に終了させていないにもかかわず、その携帯電話機に装着されているＳＩＭカードが交換されて別のユーザが携帯電話機を使用し、その後に再度その特定のユーザが自己のＳＩＭカードを装着して携帯電話機の使用を開始する場合にも、前回使用した際の不完全な電子メールの受信を、確実かつタイムリーに完了させることが望まれる。
【０００６】
本発明はかかる事情に鑑みてなされたものであり、その目的は、ＳＩＭ等の個人管理情報を用いて、電子メールをより確実かつタイミング良く受信することができる携帯通信端末を提供することにある。
【課題を解決するための手段】
【０００７】
上記目的を達成するために、本発明は、固有のユーザ識別情報を記憶する着脱可能な一の記憶媒体が装着され、前記記憶媒体が記憶するユーザ識別情報に基づいて特定されるユーザに対する通信データを受信する携帯通信端末であって、無線により通信網に接続し、前記ユーザに対する通信データの存在を認識して、前記通信データの送信要求を行い、当該送信要求に応じた前記通信データを受信する無線通信手段と、送信要求に対する通信データの前記無線通信手段による受信が完了しないことを示す未受信データを、ユーザ識別情報と対応付けて記憶する記憶手段と、前記記憶手段を参照し、装着された記憶媒体が記憶するユーザ識別情報に対応する未受信データが存在する場合に、前記送信要求を行うように前記無線通信手段を制御する制御手段とを有し、前記制御手段は、前記送信要求に応じた通信データの受信を完了させると、受信が完了した通信データに対応する未受信データを記憶手段から削除する。
【０００８】
好適には、前記制御手段は、前記無線通信手段による無線通信が不可能な状態から可能な状態に移行すると、前記記憶手段を参照する。
また、好適には、前記制御手段は、前記無線通信手段により、前記ユーザに対する通信データが存在する旨の通知を得ると、前記記憶手段を参照する。
【発明の効果】
【０００９】
本発明に係る携帯通信端末によれば、ＳＩＭ等の個人管理情報を用いて、電子メールをより確実かつタイミング良く受信することができるので、ユーザにとって情報に対する機会ロスを低減できる利点がある。
【発明を実施するための最良の形態】
【００１０】
実施形態
以下、本発明に係る携帯通信端末の実施形態を、携帯電話機を例として、添付図面に関連付けて説明する。
図１は、本実施形態に係る携帯電話機の主要回路の構成例を示すブロック図である。
【００１１】
携帯電話機１０は、図１に示すように、無線通信手段としての通信処理部１０１、ＲＡＭ１０２、記憶手段としてのフラッシュＲＯＭ１０３、キー入力部１０４、表示部１０５、音声処理部１０６、ＳＩＭカードインタフェース部１０７、ＳＩＭカード１０８、および制御手段としての制御部１０９を有している。
なお、後述するように、ＳＩＭカード１０８は、携帯電話機１０の専用スロットに対して着脱可能なカード型の記憶媒体である。
【００１２】
通信処理部１０１は、電波を利用した無線通信で行うために、制御部１０９で処理された音声情報、電子メール等の各種情報を変調して送受信アンテナにより図示しない基地局に送信する。
また、通信処理部１０１は、基地局から無線により送信され、送受信アンテナで受信した音声情報、電子メール等の各種情報を復調して制御部１０９に出力する。
【００１３】
ＲＡＭ１０２は、揮発性メモリを含んで構成され、後述するＳＩＭカード１０８に記憶されるユーザ固有の情報、たとえばユーザ識別情報，電話番号等を記憶する。
すなわち、携帯電話機１０にＳＩＭカード１０８が装着されると、制御部１０９は、ＳＩＭカードインタフェース部１０７を介して、装着されたＳＩＭカード１０８にアクセスし、ＳＩＭカード１０８に含まれるユーザ固有のユーザ識別情報，電話番号等を読み出して、ＲＡＭ１０２に格納する。
【００１４】
フラッシュＲＯＭ１０３は、不揮発性のメモリを含んで構成され、通話やメールの送受信のための制御プログラム、インターネットブラウザ、メッセージデータ、名前および電話番号が登録されたアドレス帳等を記憶する。また、本実施形態において、フラッシュＲＯＭ１０３は、未受信データリストを記憶する。
未受信データリストは、サーバ装置が受信したものの未だ携帯電話機１０が受信を完了しない電子メールのメールＩＤ（サーバ装置で管理されるメール固有のＩＤ）を、ユーザ識別情報と関連付けて記憶するデータである。
図２は、未受信データリストの１例を示す図である。図２においては、ユーザ認識情報は５桁のコードで例示している。また、メールＩＤは、後述するように、サーバ装置が電子メールを受信した後に、その電子メールの宛て先のユーザに通知するメール有り通知に含まれる。
また、後述するように、メール有り通知に基づいて、携帯電話機１０は、該当する電子メールのヘッダ部分をサーバ装置に対して送信要求を行い、その電子メールのヘッダデータの受信が完了するまで、対応するメールＩＤは、未受信データリストにおいて保持される。
【００１５】
キー入力部１０４は、終了（終話）／電源キー、開始（発呼）キー、数字等に対応した複数のテンキー等を有し、これらのキーがユーザにより操作されることにより、ユーザからの入力情報を制御部１０９に出力する。
【００１６】
表示部１０５は、液晶表示装置（ＬＣＤ）等の表示デバイスを有し、通話機能のために入力した電話番号や各種メッセージ、テキストデータ等を表示する。
【００１７】
音声処理部１０６は、音声処理回路を有し、通話機能のために音声入力を行うマイクロフォン（図示しない）と音声出力を行うスピーカ（図示しない）が接続されている。
音声処理部１０６は、マイクロフォンにより集音した音声に対して所定の処理を行って制御部１０９に供給する。
また、音声処理部１０６は、制御部１０９により供給された音声情報に対して所定の処理を行ってスピーカから出力させる。
【００１８】
ＳＩＭカードインタフェース部１０７は、ＳＩＭカード１０８と制御部１０９の間の通信インタフェースである。制御部１０９は、ＳＩＭカード１０８に対して、ＳＩＭカードインタフェース部１０７を介してアクセスを行う。
【００１９】
ＳＩＭカード１０８は、たとえばＥＥＰＲＯＭを含んで構成され、携帯電話機１０の専用スロットに対して着脱可能なカード型の記憶媒体である。ＳＩＭカード１０８は、ユーザ固有の番号が割り当てられたユーザ識別情報（たとえば、１５桁の番号），ユーザ固有の電話番号等の情報を記憶する。
また、本実施形態における携帯電話機１０では、ＳＩＭカード１０８が携帯電話機１０から取り外されると、電源がオフ状態となるような構造となっている。したがって、ユーザは、ＳＩＭカード１０８を交換する場合には、再度キー入力部１０４を操作して、電源をオン状態とする必要がある。
【００２０】
制御部１０９は、マイクロコンピュータを主体として構成され、携帯電話機１０の全体の制御を行う。たとえば、制御部１０９は、通信処理部１０１における各種情報の無線による送受信の制御、音声処理部１０６に対する音声情報の処理、表示部１０５への情報の表示制御、キー入力部１０４の入力情報に応じた処理、ＲＡＭ１０２，フラッシュＲＯＭ１０３およびＳＩＭカードインタフェース部１０７を介したＳＩＭカード１０８への処理に応じたアクセス制御等を行う。
また、ＳＩＭカード１０８が携帯電話機１０に装着されると、制御部１０９は、ＳＩＭカードインタフェース部１０７を介して、上述したＳＩＭカード１０８内の情報を読み出して、ＲＡＭ１０２に格納する。これにより、携帯電話機１０は、装着されたＳＩＭカード１０８が記憶するユーザ識別情報，電話番号に対応するユーザの認証等の処理を高速で行い、当該ユーザに対する無線通信データを受信することが可能となる。
本実施形態においては、制御部１０９は、前述した未受信データリストを参照して、携帯電話機１０に装着されたＳＩＭカード１０８が記憶するユーザ識別情報に対応するメールＩＤが存在する場合には、通信処理部１０１を制御して、サーバ装置に対してヘッダデータの送信要求を行い、ヘッダデータの受信が完了すると、未受信データリストから対応するメールＩＤを削除する。
【００２１】
以上、携帯電話機１０の各構成要素について説明した。
次に、制御部１０９が、携帯電話機１０に装着されるＳＩＭカード１０８からユーザ識別情報を読み出し、上述した未受信データリストに登録する動作について、図３のフローチャートに関連付けて説明する。
制御部１０９が図３のフローチャートを実行するタイミングとしては、たとえば、電源起動時のイニシャル処理の中で行う等が考えられる。その場合、本実施形態における携帯電話機１０では、ＳＩＭカード１０８が差し替えられると、電源がオフ状態となるように設計されているので、ＳＩＭカード１０８が差し替えられる場合には、必ず図３のフローチャートを実行することになる。
たとえば、上記のように、電源の起動に伴って実行されるイニシャル処理の中で、図３のフローチャートが開始されると、制御部１０９は、ＳＩＭカードインタフェース部１０７を介して、携帯電話機１０に装着されるＳＩＭカード１０８上のＥＥＰＲＯＭにアクセスし、ユーザ識別情報，電話番号等のユーザ情報を読み出す（ステップＳＴ１０）。
【００２２】
ＳＩＭカード１０８から読み出されたユーザ識別情報を含むユーザ情報は、ＲＡＭ１０２に格納される（ステップＳＴ１１）。これにより、電源がオン状態である限り、制御部１０９は、再度ＳＩＭカード１０８にアクセスする必要はなく、また、ＲＡＭ１０２上にあるため、ユーザ識別情報に対する高速なアクセスが可能となる。
【００２３】
さらに、制御部１０９は、ＲＡＭ１０２に格納されたユーザ識別情報が、フラッシュＲＯＭ１０３が記憶する未受信データリストに登録されているか否かがチェックされ（ステップＳＴ１２）、未受信データリストに登録されていない場合には、ＲＡＭ１０２に格納されたユーザ識別情報が未受信データリストに登録される（ステップＳＴ１３）。
【００２４】
以上のようにして、携帯電話機１０の専用スロットにＳＩＭカード１０８が装着されると、そのＳＩＭカード１０８が記憶するユーザ固有のユーザ識別情報が、未受信データリストに登録される。
【００２５】
次に、携帯電話機１０の電子メールの受信動作について、図４および図５に関連付けて説明する。
図４は、たとえば携帯電話機１０が、他の携帯電話機３０から電子メールを受信する場合の接続状態を示している。携帯電話機１０は、携帯電話機３０に限らず、たとえば図示しないパーソナルコンピュータ（ＰＣ）等からも電子メールを受信することが可能であるが、ここでは携帯電話機３０から電子メールを受信する場合について説明する。
図４に示すように、携帯電話機１０，３０およびサーバ装置２０は、基地局を含む通信網に接続されている。そして、携帯電話機３０から所定のメールアドレスに基づいて電子メールが送信されると、その送信された電子メールは、通信網を介して、まずサーバ装置２０が受信し、さらにサーバ装置から、通信網を介して、携帯電話機１０が受信する。
【００２６】
図５は、携帯電話機１０がサーバ装置２０を介して携帯電話機３０から電子メールを受信するときの処理を説明するための図である。
以下、図５に関連付けて、本実施形態における携帯電話機１０の電子メール受信処理を説明する。
【００２７】
ステップａ：
携帯電話機３０が、携帯電話機１０に装着されたＳＩＭカード１０８のユーザに対して電子メールを送信すると、図４に示すとおり、通信網を介して、まずサーバ装置２０がその電子メールを受信する。
【００２８】
ステップｂ：
携帯電話機３０から送信された電子メールを受信すると、サーバ装置２０は、登録されたユーザ毎のメール管理ファイルを参照して、受信した電子メールを該当するメール管理ファイルに格納する。
図６は、ユーザ毎のメール管理ファイルを例示する図であり、（ａ）は各ユーザ毎の登録された電話番号を、（ｂ）は各ユーザ毎の登録されたメールアドレスを、（ｃ）は各ユーザ宛てに送信された電子メールのメールＩＤを、それぞれ示す。
【００２９】
各ユーザ宛てに送信された電子メールのデータは、該当する各ユーザ毎のメール管理ファイルに蓄積されていく。
サーバ装置２０は、新たに各ユーザ宛てに送信された電子メールを受信すると、受信した電子メールを、該当するユーザに対応するファイルに格納する。たとえば、図６において、ユーザＡ宛てに新しい電子メール（メールＩＤ２００１）を受信すると、電子メールの本体内容（宛て先／差出元を含むヘッダデータ，本文のテキスト等を含む本文データ）を、ユーザＡに対応するメール管理ファイルに格納する。
【００３０】
ステップｃ：
さらに、サーバ装置２０は、新しい電子メールをサーバ装置２０が受信したことを示すメール有り通知を、登録されたユーザのメールアドレス宛てに送信する。たとえば、図６において、新しい電子メール（メールＩＤ２００１）を受信したことを示すメール有り通知を、ユーザＡの登録されたメールアドレスであるaaa@xxx.ne.jp を通知する。
メール有り通知は、サーバ装置２０が受信した電子メールを特定するための情報を含むデータ列である。メール有り通知の中には、電子メールの固有の符号であるＩＤナンバーや後述するＯＫコードなどが含まれている。
ここでは、メール有り通知を、電子メールのルーチンで行うように構成したが、他に、ＳＭＳ(Short Message Service) によりユーザの電話番号をもとに、ショートメールを送る形でメール有り通知を行うように構成してもよい。この場合には、ＯＫコードが特になくてもデータが復号さえできたならば、メール有り通知が受信できたと認識させる。
【００３１】
ステップｄ：
携帯電話機１０の通信処理部１０１が上述したメール有り通知を受信すると、制御部１０９は、その受信したデータ列に対して誤り訂正および復号を行い、メール有り通知に含まれるデータの内容について確認する。復号したメール有り通知には、電子メールのＩＤナンバーおよび後述するＯＫコードが含まれ、また、この他に電子メールの送信者・受信者および電子メールの表題等のテキストデータが含まれることもある。
本実施形態においては、少なくとも復号されたメール有り通知に含まれる電子メールのＩＤナンバーおよびＯＫコードを抽出する。
ＯＫコードは、受信が正しく完了したことを認識するための符号であり、あらかじめ復号されたメール有り通知の所定の場所に格納されている。制御部１０９は、このＯＫコードを抽出できた場合に、メール有り通知の受信が正しく完了したことを認識する。
なお、この例では、ＯＫコードの抽出により、メール有り通知の受信完了を認識するよう構成しているが、受信完了が認識さえできれば、特にその手法は問わない。
【００３２】
制御部１０９は、ヘッダデータの受信が正しく完了したことを認識すると、サーバ装置２０が新規電子メールを受信したことをユーザに認識させるため、表示部１０５を制御してアイコンを表示させる。
図７に示す画面ＳＣ１０は、サーバ装置２０が電子メールを受信したことをユーザに認識させるために表示されるアイコンＸを例示する。このように、アイコンＸが表示部１０５の最上部に表示されることにより、ユーザは、サーバ装置２０に自分宛の電子メールが届いていることを視認することができる。
【００３３】
ステップｅ：
制御部１０９は、上述したステップｄにより、メール有り通知の受信が正しく完了したことを認識すると、ユーザのキー入力部１０４に対する所定の操作により、サーバ装置２０に対してヘッダデータの送信要求を行うように、通信処理部１０１を制御する。
具体的には、ユーザ識別情報又はメールアドレスと通知されたメールＩＤとをサーバ装置２０に送信する。このとき、未受信データリスト（後述する）に、前回の未受信メールのＩＤが残っていれば、そのメールＩＤを通知されたメールＩＤの代わりに送信する。
【００３４】
ステップｆ：
ステップｅにおいて、サーバ装置２０に対してヘッダデータの送信要求を行った後、制御部１０９は、ステップｃ，ｄで受信・復号したメール有り通知の内容に基づいて、フラッシュＲＯＭ１０３が記憶する未受信データリストを更新する。
具体的には、制御部１０９は、ＲＡＭ１０２にアクセスして、携帯電話機１０に装着されているＳＩＭカード１０８のユーザ認識情報を確認し、確認されたユーザ認識情報と関連付けて、図２に示したように、受信したメール有り通知の内容に含まれるメールＩＤをフラッシュＲＯＭ１０３内の未受信データリストに格納する。
なお、すでに同じユーザ認識情報に対応するメールＩＤが存在する場合には、未受信データリストは更新されない（つまり、未受信であって、最も古いメールＩＤのみが未受信データリストに残る）。
【００３５】
ステップｇ：
携帯電話機１０よりヘッダデータの送信要求を受信すると、サーバ装置２０は、その送信要求に含まれるユーザ認識情報に基づいて、該当するユーザのメール管理ファイルの中から、未送信の電子メールをすべて検索する。
なお、携帯電話機１０から指定されるメールＩＤは、そのユーザにとっての最も古いメールＩＤであるはずなので、当該メールＩＤ以降に、サーバ装置２０がメール有り通知を行ったメールについてのみ検索すれば足りる、ということが言える。
【００３６】
ステップｈ：
サーバ装置２０は、ステップｇで検索されたすべての未送信の電子メールに対応するヘッダデータを、携帯電話機１０に対して送信する。したがって、ステップｃにおいて送信したメール有り通知に含まれるメールＩＤに対応するヘッダデータだけでなく、対応するユーザ向けのメール管理ファイルに含まれるすべてのヘッダデータを送信する。
サーバ装置２０が携帯電話機１０に対して送信するヘッダデータは、メールＩＤとメール本体情報および後述するＥＮＤコードから構成される。
メール本体情報は、電子メールの宛て先／差出元等を含んで構成される。
ＥＮＤコードは、ヘッダデータの受信が正しく完了したことを認証するための符号であり、ヘッダデータを受信する携帯電話機１０側で、ヘッダデータの受信が正しくなされたことを認識できるように、ヘッダデータの最後部に付加される。ＥＮＤコードは、たとえば、チェックサムやＣＲＣのコードから構成させることができる。
【００３７】
ステップｉ：
通信処理部１０１が上述したヘッダデータを受信すると、制御部１０９は、その受信したデータ列に対して誤り訂正および復号を行い、ヘッダデータに含まれるメール本体情報を抽出する。
そして、最後部に付加されたＥＮＤコードが正しく認証されると、制御部１０９は、ヘッダデータが正しく受信されたと判断し、受信したヘッダデータをフラッシュＲＯＭ１０３内の所定の受信フォルダに格納する。
また、制御部１０９は、ユーザにとって未読の電子メールが受信フォルダに格納されたことをユーザに認識させるため、表示部１０５を制御してアイコンＸの表示を変化させると共に、「Ｅメール  １件」と表示する。
図７に示す画面ＳＣ２０は、サーバ装置２０に電子メールを受信したことをユーザに認識させるために表示されるアイコンＹを例示する。このように、アイコンＸの代わりにアイコンＹが表示部１０５の最上部に表示されることにより、ユーザは、受信フォルダに自分宛の電子メールが格納され、その電子メールの差出人の確認を行うことが可能な状態であることを視認することができる。
【００３８】
さらに、制御部１０９は、フラッシュＲＯＭ１０３に記憶される未受信データリストを更新する。
具体的には、制御部１０９は、ＲＡＭ１０２にアクセスして、携帯電話機１０に装着されているＳＩＭカード１０８のユーザ認識情報を確認し、確認されたユーザ認識情報に対応するメールＩＤを、フラッシュＲＯＭ１０３内の未受信データリストから削除する。
【００３９】
ステップｊ：
ＥＮＤコードを正しく認識して、ヘッダデータが正しく受信されたと判断すると、制御部１０９は、サーバ装置２０に対して所定の応答信号（ＡＣＫ信号）を送信する。
なお、ヘッダデータの受信が正しく完了したことを認識すると、自動的に、制御部１０９がサーバ装置２０に対して受信したヘッダに続く本文データ（電子メールの件名、本文のテキストデータ、ＥＮＤコード等）の送信要求を行うよう通信処理部１０１を制御するように構成することもできる。
本実施形態に係る携帯電話機１０においては、サーバ装置２０に対して、ユーザの操作により指定したメールについての本文データの送信要求を行うか、または、自動的にステップｈで受信したヘッダデータについての本文データの送信要求を行うかについては、あらかじめユーザがメール受信決定のサブメニューを操作して制御部の設定を指定しておくことにより、選択することが可能であり、このときは、ユーザ認識情報とともに、本文データを要求するメールのメールＩＤを、サーバ装置２０に本文データ要求として送信も行う。
かかるユーザの選択により、たとえば、自動受信フラグ（１：自動受信を行う，０：受動受信を行わない）がセットされ、制御部１０９は、この自動受信フラグの設定に従い、サーバ装置２０に対して自動的に本文データの送信要求を行うか否かを決定する。
【００４０】
ステップｋ：
携帯電話機１０より送信されたＡＣＫ信号を受信すると、サーバ装置２０は、電子メールのヘッダデータが正しく携帯電話機１０に受信されたと判断し、ステップｈで送信したすべての電子メールに該当するユーザのメール管理ファイルにヘッダ送信完了を書き込む。
なお、ステップｊにおいて、メール本文についても要求された場合には、要求されたメールＩＤについての本文データ（電子メールの件名、本文のテキストデータ、ＥＮＤコード等）を、携帯電話機１０に送信する。この後、ステップｈと同様、ＥＮＤコードにより本文データの受信完了が確認できると、携帯電話機１０は、サーバ装置２０に応答信号を返信する。これにより、ユーザは、電子メールの中身を読むことができることになる。
【００４１】
以上、図５に関連付けて、携帯電話機１０が携帯電話機３０からの電子メールをサーバ装置２０を介して受信する動作を説明した。
上述した電子メールの受信動作にしたがって、携帯電話機１０が電子メールを受信することができれば全く問題ないのであるが、実際には、通信トラフィックや電波状態不安定等の通信条件によっては、携帯電話機１０とサーバ装置２０との間で正しく送受信が行われないことが起こりうる。たとえば、上記ステップｅで、携帯電話機１０からサーバ装置２０に対するヘッダデータの送信要求の送信が失敗したり、上記ステップｈで、サーバ装置２０から携帯電話機１０に対するヘッダデータの送信が失敗する場合である。
【００４２】
このように、携帯電話機１０とサーバ装置２０の間の通信が失敗した直後、たとえば図５のステップｅで、携帯電話機１０からサーバ装置２０に対するヘッダデータの送信要求の送信が失敗した直後に、携帯電話機１０のＳＩＭカード１０８を、たとえばユーザＡのものから別のユーザＢのものに差し替えられる場合が考えられる。例えば、ユーザＡに対するヘッダデータの送信要求がリセットされる仕様の場合には、ユーザＡのＳＩＭカード１０８を再度装着しても、次にユーザＡ宛てに別の電子メールがサーバ装置２０に届くまでは、ヘッダデータをしばらく受信することができない。送信要求はリセットされており、携帯電話機１０が自動的に送信要求を行うことはない。
また、ＳＩＭカード１０８を、ユーザＡのものから別のユーザＢのものに差し替えられた結果、ユーザＡに対するヘッダデータの送信要求がリセットされない仕様の場合には、ユーザＢがヘッダデータの送信要求を行うと、ユーザＢが意図しないユーザＡに対するヘッダデータの送信要求を行うこととなり、サーバ装置２０から見ればユーザＢがユーザＡ宛てのメールのヘッダを要求する形となってしまう。このとき、当然ながらサーバ装置２０側ではエラーとなる。さらに、ユーザＡに対するヘッダデータの送信要求がリセットされないと、ユーザＢ自身も自分宛のヘッダデータを受信できない。
【００４３】
このように携帯電話機１０とサーバ装置２０の間の送受信が正しく行われない場合でも、本実施形態における携帯電話機１０では、上述したような問題が発生しない。
すなわち、本実施形態における携帯電話機１０は、上述したステップｆにおいて、受信したメール有り通知の内容に含まれるメールＩＤをフラッシュＲＯＭ１０３内の未受信データリストに格納し、本文データの受信後のステップｉにおいて、ユーザ認識情報に対応するメールＩＤを未受信データリストから削除するので、メール有り通知を一旦受信すると（ステップｄ）、ヘッダデータの受信が完了しない限り、未受信データリストから削除されない。つまり、ステップｅ，ｈの送受信が正しく行われない場合でも、メールＩＤは未受信データリストから削除されない。
したがって、上述したような場合、すなわち、ＳＩＭカード１０８がユーザＡのものから別のユーザＢのものに差し替えられた場合でも、ユーザＡに対するヘッダデータの受信が完了しないことが未受信データリストに記憶されるので、再度ユーザＡのＳＩＭカード１０８が装着された場合には、未受信データリストに基づいて、制御部１０９がヘッダデータの送信要求を行うことが可能である。
【００４４】
ところで、本発明のように、ユーザ毎の未受信データリストを備えると、以下に説明するように、未受信データリストを活用することもできる。
図８は、未受信データリストに基づいて、ヘッダデータの送信要求を行う処理を説明するためのフローチャートである。すなわち、図５に示したステップｄ以降の動作を、図８に示すタイミングで起動させることができる。
図８に示すとおり、制御部１０９は、装着されるＳＩＭカード１０８のユーザ識別情報を、ＲＡＭ１０２またはＳＩＭカード１０８から読み出し（ステップＳＴ２０）、読み出したユーザ識別情報に対応するメールＩＤが未受信データリストに存在する場合（ステップＳＴ２１）、すなわち、通信不良等の原因で、以前にＳＩＭカード１０８を装着した際に受信できなかったヘッダデータが存在する場合には、ヘッダデータの送信要求を行う（ステップＳＴ２２）。
【００４５】
図８に示したフローチャートを起動させるタイミングとして、たとえば、ＳＩＭカード１０８の交換を認識した場合に実行してもよいし、また、電源起動時のイニシャル処理として実行してもよいし、新たなメール有り通知を受信した場合に実行してもよい。
本実施形態における携帯電話機１０では、ＳＩＭカード１０８を交換すると、電源がオフ状態となるように構成されているので、電源起動時のイニシャル処理時に実行するように構成しておけば、ＳＩＭカード１０８の交換時には必ず図８に示した処理が実行されることになる。
【００４６】
以上説明したように、本実施形態における携帯電話機１０によれば、通信処理部１０１と、フラッシュＲＯＭ１０３と、キー入力部１０４と、表示部１０５と、ＳＩＭカードインタフェース部１０７と、ＳＩＭカード１０８とを備え、不揮発性のフラッシュＲＯＭ１０３は、未受信データリスト、すなわち、通信網に接続されたサーバ装置に到着した各ユーザに宛ての電子メールであって、まだ携帯電話機１０により受信が完了しない電子メールのメールＩＤを、ＳＩＭカード１０８が記憶するユーザ固有のユーザ識別情報と関連付けて記憶するデータを記憶し、制御部１０９は、サーバ装置から電子メールを受信する際、まずメールＩＤを含むメール有り通知を受信すると、そのメールＩＤをユーザ識別情報と関連付けて未受信データリストに格納し、ヘッダデータの送信要求を行うように通信処理部１０１を制御し、ヘッダデータを受信した場合には、対応するメールＩＤを未受信データリストから削除する。さらに、制御部１０９は、上記未受信データリストを参照して、装着されたＳＩＭカード１０８が記憶するユーザ識別情報に対応するメールＩＤが存在する場合には、通信処理部１０１を制御して、サーバ装置に対して電子メールのヘッダ部分の送信要求を行う。
【００４７】
したがって、携帯電話機１０とサーバ装置２０の間の通信が失敗した後に、携帯電話機１０のＳＩＭカード１０８（たとえば、ユーザＡ）が別のユーザのもの（たとえば、ユーザＢ）に差し替えられた場合でも、ユーザＡに対するヘッダデータの受信が完了していないことを未受信データリストに保持し、その後に再度ユーザＡのＳＩＭカード１０８が装着されると、未受信データリストに基づいてユーザＡ向けのヘッダデータの送信要求を行うので、ユーザＡは、サーバ装置２０に到着している電子メールをタイムリーに受信することが可能となる。
【００４８】
また、未受信データリストには、ＳＩＭカード１０８に含まれるユーザ識別情報毎に、メールＩＤを保持することができるので、複数のユーザにより共通の携帯電話機を使用する場合には、各ユーザ毎の電子メールの受信状況を把握することが可能である。
【００４９】
本実施形態は、上述した内容に拘泥せず、様々な変更が可能である。
たとえば、図９のフローチャートは、図８のフローチャートで示した処理を起動させるタイミングを含めた一例であり、図８とはステップＳＴ３０が付加されている点で異なる。すなわち、図９で示すフローチャートでは、ステップＳＴ３０において、携帯電話機１０の通信処理部１０１が通信可能な状態に移行した場合に、図８に示した処理を起動させる。
【００５０】
これにより、たとえば図８の処理（送信要求）を電源起動時のイニシャル処理の中で行うように構成した場合に、ユーザが、電源起動時には、いわゆる圏外（通信処理部１０１が受信できないエリア）にいたため図８（送信要求）の処理が実行できなかったときでも、その後、ユーザが圏内（通信処理部１０１が受信可能なエリア）に移動した場合には、すぐにヘッダデータの送信要求を行うことが可能となる。
【図面の簡単な説明】
【００５１】
【図１】実施形態に係る携帯電話機のシステム構成の一例を図解したブロック図である。
【図２】実施形態に係る携帯電話機が記憶する未受信データリストの１例を示す図である。
【図３】実施形態において、ユーザ識別情報を未受信データリストに登録する処理のフローチャートである。
【図４】実施形態に係る携帯電話機の受信環境を図解した図である。
【図５】実施形態に係る携帯電話機の受信動作を説明するための図である。
【図６】実施形態に係るサーバ装置で管理するユーザ毎のメール管理ファイルを図解した図である。
【図７】実施形態に係る携帯電話機の表示動作を説明するための図である。
【図８】実施形態に係る携帯電話機の動作を説明するための図である。
【図９】実施形態に係る形態電話機の動作を説明するための図である。
【符号の説明】
【００５２】
１０…携帯電話機
１０１…通信処理部
１０２…ＲＡＭ
１０３…フラッシュＲＯＭ
１０４…キー入力部
１０５…表示部
１０６…音声処理部
１０７…ＳＩＭカードインタフェース部
１０８…ＳＩＭカード
１０９…制御部
２０…サーバ装置
３０…携帯電話機
【図１】
2005130222.tif 000003
【図２】
2005130222.tif 000004
【図３】
2005130222.tif 000005
【図４】
2005130222.tif 000006
【図５】
2005130222.tif 000007
【図６】
2005130222.tif 000008
【図７】
2005130222.tif 000009
【図８】
2005130222.tif 000010
【図９】
2005130222.tif 000011